(57)【要約】      （修正有）【課題】水道の蛇口への固定に支障を来さず、かつ、着脱が容易に行える蛇口コネクタを提供する。【解決手段】水道の蛇口に取り付けられる蛇口コネクタ１は、本体１０と、本体の上部に設けられ、蛇口に固定される固定部２０と、を備え、固定部が、その内側に突出して蛇口に当接する１点以上の凸部４１と、その外側から蛇口に固定するための１点以上のネジ４２，４３が螺入されるネジ穴を有する。【選択図】図１
0003203746.tif 000002
【実用新案登録請求の範囲】
【請求項１】
水道の蛇口に取り付けられる蛇口コネクタであって、
本体と、
前記本体の上部に設けられ、前記蛇口に固定される固定部と、を備え、
前記固定部が、その内側に突出して前記蛇口に当接する１点以上の凸部と、その外側から前記蛇口に固定するための１点以上のネジが螺入される１点以上のネジ穴を有することを特徴とする蛇口コネクタ。
【請求項２】
前記凸部が、前記蛇口の表面に沿うように円周方向に凹状に湾曲した頂部を有することを特徴とする請求項１に記載の蛇口コネクタ。
【請求項３】
前記凸部が１点設けられ、前記ネジ穴が２点設けられることを特徴とする請求項１又は２に記載の蛇口コネクタ。
【請求項４】
前記凸部が２点設けられ、前記ネジ穴が１点設けられることを特徴とする請求項１又は２に記載の蛇口コネクタ。
【請求項５】
前記凸部が１点設けられ、前記ネジ穴が１点設けられることを特徴とする請求項１又は２に記載の蛇口コネクタ。
【請求項６】
前記ネジが、ドライバーで螺入させる通常ネジ、ユリアネジ及び蝶ネジからなる群から選択されることを特徴とする請求項１から５のいずれか１項に記載の蛇口コネクタ。
【考案の詳細な説明】
【技術分野】
【０００１】
本考案は、水道の蛇口とホースとを接続するための蛇口コネクタに関する。
【背景技術】
【０００２】
従来、水道の蛇口とホースとを接続するための蛇口コネクタとしては、蛇口との締結部にネジ穴を３点貫通させ、それぞれネジ（締結用ビス）を螺入させて蛇口に固定するものが知られている（例えば、特許文献１参照）。図８は、蛇口コネクタの本体１０’が円筒状のものを平面視した模式図であって、蛇口（不図示）に固定する固定部２０’において、３点のネジ穴２１’，２２’，２３’に３点のネジ４１’，４２’，４３’をそれぞれ螺入させ蛇口に固定するものを示している。
【０００３】
しかしながら、３点のネジをもって蛇口コネクタを蛇口に固定しようとすると、３点のネジのうち、１点又は２点のネジが利用者からみて蛇口の横側又は裏側にあたるような位置となり、蛇口及び／又は蛇口コネクタの態様によってはその着脱に手間がかかるという問題があった。また、手間がかかるのみならず、ネジを蛇口に十分に締め付けることができなかった場合、水の流入／流出によって、蛇口コネクタが緩んでしまうという問題があった。
【先行技術文献】
【特許文献】
【０００４】
【特許文献１】実用新案登録第３１７２６４３号公報
【考案の概要】
【考案が解決しようとする課題】
【０００５】
そこで、本考案は、以上のような事情に鑑みてなされたものであり、その目的は、水道の蛇口への固定に支障を来さず、かつ、着脱が容易に行える蛇口コネクタを提供することにある。
【課題を解決するための手段】
【０００６】
上記課題を解決するため、本考案は、以下のように把握される。
（１）本考案に係る第１の観点は、水道の蛇口に取り付けられる蛇口コネクタであって、本体と、前記本体の上部に設けられ、前記蛇口に固定される固定部と、を備え、前記固定部が、その内側に突出して前記蛇口に当接する１点以上の凸部と、その外側から前記蛇口に固定するための１点以上のネジが螺入される１点以上のネジ穴を有することを特徴とする。
【０００７】
（２）上記（１）の構成において、前記凸部は、前記蛇口の表面に沿うように円周方向に凹状に湾曲した頂部を有してもよい。
【０００８】
（３）上記（１）又は（２）の構成において、前記凸部が１点設けられ、前記ネジ穴が２点設けられてもよい。
【０００９】
（４）上記（１）又は（２）の構成において、前記凸部が２点設けられ、前記ネジ穴が１点設けられてもよい。
【００１０】
（５）上記（１）又は（２）の構成において、前記凸部が１点設けられ、前記ネジ穴が１点設けられてもよい。
【００１１】
（６）上記（１）から（５）のいずれか１つの構成において、前記ネジが、ドライバーで螺入させる通常ネジ、ユリアネジ及び蝶ネジからなる群から選択されてもよい。
【考案の効果】
【００１２】
本考案によれば、水道の蛇口への固定に支障を来さず、かつ、着脱が容易に行える蛇口コネクタを提供することができる。
【図面の簡単な説明】
【００１３】
【図１】本考案の実施形態に係る蛇口コネクタを正面左側からみた斜視図である。
【図２】同じく、蛇口コネクタを正面右側からみた斜視図である。
【図３】同じく、蛇口コネクタの流入口側からみた平面図である。
【図４】同じく、図３のα−α線で切断した蛇口コネクタの断面図である。
【図５】本発明の実施形態に係る蛇口コネクタについて、取付け構造を模式的に示す平面図である。
【図６】本発明の変形例１に係る蛇口コネクタについて、取付け構造を模式的に示す平面図である。
【図７】本発明の変形例２に係る蛇口コネクタについて、取付け構造を模式的に示す平面図である。
【図８】従来の蛇口コネクタについて、取付け構造を模式的に示す平面図である。
【考案を実施するための形態】
【００１４】
以下、添付図面を参照して、本考案を実施するための形態（以下、実施形態という）について詳細に説明する。なお、実施形態の説明の全体を通して同じ要素には同じ番号を付している。
【００１５】
（実施形態）
本実施形態に係る蛇口コネクタ１は、図１及び図２に示すように、本体１０と、本体１０の上部に設けられ、水道の蛇口（不図示）に固定される固定部２０と、本体１０の下部に設けられたホース継ぎ手３０とを備えている。
【００１６】
なお、ここでは、蛇口コネクタ１の本体１０として、ホースの先端に取り付けられている散水ノズルを保持する保持部５０（図中左側に破線で示した部分）を併せ持つようにした横長の箱状のものを示している。しかし、本実施形態の適用は、図示した態様の本体１０に限られることはなく、本体１０は、保持部５０を併せ持たない態様など様々な態様のものであってよい。
【００１７】
固定部２０には、図１及び図２に示すように、本体１０を蛇口に固定するため、３点の固定手段４０が設けられている。ここでは、３点の固定手段４０として、凸部４１（図１では固定部２０の開口における左側に、図２では同じく中央に位置する）、ユリアネジ４２（図１では同じく上側に、図２では同じく右側に位置する）、ユリアネジ４３（図１では同じく右側に、図２では同じく左側に位置する）を示している。以下、ユリアネジ４３が設けられている方向を正面、その反対側を背面として説明する。固定部２０には、その背面側に、蛇口の形状に沿わせるための凹部２１が設けられている。
【００１８】
これら３点の固定手段４０は、均等の間隔すなわち１２０度の角度をもって固定部２０を３等分するように配置されている。ユリアネジ４３が蛇口の正面に対応する位置に配置されているが、前述のとおり、ここでは本体１０を横長の箱状のものとしているため、螺入、螺出を容易にすることを考慮して、ユリアネジ４３が正面側に、ユリアネジ４２が側方やや背面側となるように配置している。この位置関係は図示しているものに限られることはなく、本体１０の態様に応じて配置すればよい。例えば、後述するように、本体１０が円筒状に構成されているような場合には、ユリアネジ４３を正面向かって左側に、ユリアネジ４２を正面向かって右側に配置すればよく、その場合両方とも螺入、螺出を容易に行うことができる。
【００１９】
本実施形態においては、２点のネジとしてユリアネジ４２、ユリアネジ４３を図示しているが、本実施形態の適用にあたっては、ネジをユリアネジに限る必要はなく、そのほかに蝶ネジやドライバーで螺入させる通常ネジからなる群から選択してもよい。蛇口が狭い場所に設置されているような場合には、螺入のための工具としてドライバーを必要としないという点でユリアネジ又は蝶ネジが好ましい。
【００２０】
図３を用いて、３点の固定手段についてさらに説明する。本体１０は、図３に示すように、固定部２０の内側に突出して固定時に蛇口に当接する１点の凸部４１と、固定部２０の外側から蛇口に固定するための２点のユリアネジ４２、ユリアネジ４３が螺入される２点のネジ穴２２、ネジ穴２３を有する。
【００２１】
凸部４１は、平面視において、固定部２０の周縁から中心に向かって突出しており、その突出長は、蛇口に当接するか、又は近接する位置までとなっている。凸部４１の頂部４１１は、蛇口の表面に沿うように円周方向に凹状に湾曲しており、固定時に蛇口にフィットすることができる。蛇口コネクタ１を蛇口に取り付ける際には、まず、凸部４１の頂部４１１を蛇口の表面に当接又は近接させ、その後、ネジ穴２２、ネジ穴２３に螺入されているユリアネジ４２、ユリアネジ４３を蛇口に向かって締め付けていくこととなる。すなわち、凸部４１は受働的固定手段、ユリアネジ４２、ユリアネジ４３は能働的固定手段となる。
【００２２】
次に、蛇口コネクタ１の各部の構成を図４の断面図を用いて説明する。蛇口コネクタ１は、上流から下流に向かって、蛇口との固定部２０、本体１０、ホース継ぎ手３０を備えている。そして、本体１０の内部には、固定部２０において固定された蛇口の先端を囲う弾性体部１１、蛇口から水が流入する流入口１２、水が一時貯留される貯留室１３が設けられている。
【００２３】
固定部２０には、前述のとおり、受働的固定手段としての凸部４１と、能働的固定手段としてのネジ穴２２及びそれに螺入されたユリアネジ４２が設けられている。固定部２０の外壁２０ａは下方まで延在しており、本体１０の側方外壁１０ａを構成している。
【００２４】
本体１０の内部には、蛇口の先端を囲う弾性体部１１が設けられており、その先端は蛇口から水が流入する流入口１２として形成されている。蛇口の先端はこの弾性体部１１に囲われるため、蛇口から流出した水は固定部２０へ逆流して溢れ出すことはない。流入口１２から流入した水は貯留室１３で一時的に貯留される。貯留室１３は本体１０の底壁１０ｂ及びホース継ぎ手３０と一体的に形成された内壁１４によって囲われており、内壁１４の上端が弾性体部１１に貫入して貯留室１３の水密性を維持している。
【００２５】
ホース継ぎ手３０は、ホースに取り付けられたカップリング（不図示）に挿入される部分であり、貯留室１３の出口３１から流出口３２まで延在する。ホース継ぎ手３０の先端手前には、カップリングとの間の水密性を維持するため、Ｏ−リング３３が嵌合されている。
【００２６】
ところで、固定部２０の構成については、以下に説明するように変形することができるが、その前に、円筒状の本体１０に適用した場合を取り上げて、図５を参照して、上記実施形態を模式的にあらためて説明する。なお、以下においても、能働的固定手段としてのユリアネジが蝶ネジやドライバーで螺入させる通常ネジであってもよいことは、前述したとおりである。
【００２７】
図５は、上記実施形態において本体１０を円筒状とした場合であって、受働的固定手段である凸部４１を背面側（蛇口の奥側）に、ユリアネジ４２を正面右側に、ユリアネジ４３を正面左側にそれぞれ配置した例、すなわち、本体１０の固定部２０に凸部４１が１点設けられ、ネジ穴２２，２３が２点設けられる例を示している。このようにすると、能働的固定手段であるユリアネジ４２及びユリアネジ４３の双方が利用者に対向する側に位置するので、それらを螺入させたり螺出させたりすることが容易となる。
【００２８】
（変形例１）
上記実施形態に対し、変形例１として、図６に示すように、３点の固定手段４０のうち、受働的固定手段を第１凸部４１Ａと第２凸部４１Ｂの２点とし、能働的固定手段をネジ穴２３に螺入されるユリアネジ４３の１点としてもよい。すなわち、本体１０の固定部２０に第１凸部４１Ａと第２凸部４１Ｂが２点設けられ、ネジ穴２３が１点設けられるようにしてもよい。もちろん、第２凸部４１Ｂをユリアネジ４３の位置に設けて、ユリアネジ４２を残すようにしてもよい。変形例１のようにすると、ユリアネジの数をさらに減らして最小限とすることができる。
【００２９】
（変形例２）
さらに、変形例２として、図７に示すように、３点の固定手段４０を２点の固定手段４０とし、受働的固定手段を凸部４１の１点、能働的固定手段をネジ穴２４に螺入されるユリアネジ４４の１点としてもよい。すなわち、本体１０の固定部２０に凸部４１が１点設けられ、ネジ穴２４が１点設けられるようにしてもよい。この場合、ユリアネジ４４は、凸部４１に対向して蛇口の正面に位置する。変形例２のようにすると、ユリアネジの数を最小限としたうえで、凸部の数も減らすことができ、製造上のコストダウンをより一層図ることができる。
【００３０】
（実施形態の効果）
以上、説明した実施形態及び変形例に係る蛇口コネクタ１によれば、本体１０の内側に受働的固定手段としての１点以上の凸部（実施形態及び変形例２では凸部４１、変形例１では第１凸部４１Ａと第２凸部４１Ｂ）と、能働的固定手段としての１点以上のユリアネジ（実施形態ではユリアネジ４２とユリアネジ４３、変形例１ではユリアネジ４３又はユリアネジ４２、変形例２ではユリアネジ４４）を設けたことにより、蛇口コネクタ１を蛇口に締め付けるための能働的固定手段であるネジの数を減らすことができ、ひいてはネジを締める回数を減らすことができる。これにより、蛇口コネクタ１を構成する部品点数の削減を図ることができるとともに、水道の蛇口への固定に支障を来さず、かつ、着脱が容易に行える蛇口コネクタ１を提供することができる。
【００３１】
以上、実施形態及び変形例を用いて本考案を説明したが、本考案の技術的範囲は上記実施形態及び変形例に記載の範囲には限定されないことは言うまでもない。上記実施形態及び変形例に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００３２】
１…蛇口コネクタ
１０…本体
１０ａ…側方外壁（本体１０の）
１０ｂ…底壁（本体１０の）
１１…弾性体部
１２…流入口
１３…貯留室
１４…内壁
２０…固定部
２０ａ…外壁（固体部２０の）
２１…凹部（固定部２０の）
２２，２３，２４…ネジ穴
３０…ホース継ぎ手
３１…出口
３２…流出口
３３…Ｏ−リング
４０…固定手段
４１…凸部
４１Ａ…第１凸部
４１Ｂ…第２凸部
４１１…頂部（凸部４１の）
４２，４３，４４…ユリアネジ（ネジ）
５０…保持部
【図１】
0003203746.tif 000003
【図２】
0003203746.tif 000004
【図３】
0003203746.tif 000005
【図４】
0003203746.tif 000006
【図５】
0003203746.tif 000007
【図６】
0003203746.tif 000008
【図７】
0003203746.tif 000009
【図８】
0003203746.tif 000010